(57)【要約】【課題】自動分析装置上で試薬容器にＩＣタグを付して試薬情報を管理する際、試薬容器の形状が左右対称な直方体状で試薬容器保持部に正規の向きの他、逆向きにも架設することができる場合、試薬容器の向きが誤った向きのまま架設され分析が行われることとなり、正しい分析結果を得ることが困難となる。【解決手段】リーダアンテナを、その読取り範囲が正向き読取り領域のみ読取れる位置に配置する。この時、正向きであれば試薬容器に付加されたＩＣタグを読取ることが可能となり、逆向きであれば、リーダアンテナの読取り範囲からタグアンテナが外れ、読取ることが不可能となり、逆置きを防止可能となる。【選択図】  図１
2011027658.tif 000002
【特許請求の範囲】
【請求項１】
アンテナを有する非接触識別媒体と、前記非接触識別媒体と通信する通信機と、液体を収容する容器と、該容器を架設する容器保持機構と、を備えた自動分析装置であって、
前記アンテナを前記容器に非対称の位置に設け、
前記容器に設けられた前記非接触媒体と前記通信機が通信不能であった場合、該容器を前記容器保持機構を駆動して所定距離移動し、再度通信することにより、前記容器の前記容器保持機構上での設置向きを識別する識別機構を備えたことを特徴とする自動分析装置。
【請求項２】
請求項１記載の自動分析装置において、
前記容器に収容された液体の液面を検知する検知機構を備え、
前記識別機構により、前記容器の設置向きを識別した後、前記液面検知機構によって前記容器の有無を識別する容器有無識別機構を備えたことを特徴とする自動分析装置。
【請求項３】
請求項１または２記載の自動分析装置において、
前記容器は、前記非接触識別媒体を少なくとも２つ備え、かつそれぞれの非接触識別媒体のアンテナの通信範囲が異なることを特徴とする自動分析装置。
【請求項４】
請求項１または２記載の自動分析装置において、
前記通信機は、通信範囲が異なる少なくとも２つの通信アンテナを備えることを特徴とする自動分析装置。
【請求項５】
アンテナを有する非接触識別媒体と、前記非接触識別媒体と通信する通信機と、液体を収容する容器と、該容器を架設する容器保持機構と、を備えた自動分析装置であって、
前記アンテナを前記容器に非対称の位置に設け、
前記通信機の通信アンテナを移動させる通信アンテナ移動手段を備え、該通信アンテナ移動手段により通信アンテナの位置を変えて通信することで前記容器の前記容器保持機構上での設置向きを識別する識別機構を備えたことを特徴とする自動分析装置。
【発明の詳細な説明】
【技術分野】
【０００１】
本発明は血液，尿などの生体サンプルの定性・定量分析を行う自動分析装置に係り、特に試薬容器に試薬識別情報などを記憶する記憶媒体を備えた自動分析装置に関する。
【背景技術】
【０００２】
血液，尿などの生体サンプルの分析を行う自動分析装置では、サンプル中の分析対象成分と反応する試薬をサンプルに添加，混合することで分析を行う。近年、製薬技術の進歩により、多くの種類の分析対象について分析が可能な試薬が市販化されるようになった。このように多くの種類の試薬を使用する自動分析装置では、試薬の取り違えにより間違った分析結果を報告しないよう、試薬容器にバーコードなどの識別ＩＤを付して、装置が自動的に試薬の種類を識別するような機構を備えるものが主流になっている。より具体的には試薬が入れられた試薬容器にバーコードを貼付し、それをバーコードリーダによって読取り、その後試薬情報を装置の記憶保持手段に記憶し、適宜利用している。読取った情報によっては試薬の有効期限が切れているためアラームを発生しユーザに注意を喚起するといったようにシステム上で試薬情報を活用している。試薬情報としては試薬の有効期限の他、試薬の製造ロット番号・シリアル番号，試薬初期容量などがあり、これを上述のバーコード情報として記録した上で試薬容器に貼付けして読取っている。
【０００３】
従来識別ＩＤとしてよく用いられてきたのはバーコードであるが、近年ではＩＤの情報量を増やし、より多くの情報を管理したいというニーズに応えるため、２次元コードやＲＦＩＤも用いられるようになってきた。中でもＲＦＩＤはリーダアンテナとＩＣタグのタグアンテナが互いに対向し、かつリード／ライト（通信ともいう）可能領域内であれば双方のアンテナの向きを気にすることなく通信が可能であるため、管理する情報量を増やす上でも、また読取り時の信頼性を向上する上でもバーコードと比較し、メリットがあると考えられる。
【０００４】
特許文献１では構成部品にＩＣタグを付し、情報を読み出すことによって、メンテナンスを簡便にする手段を備えた分析システムおよび装置を提案している。
【先行技術文献】
【特許文献】
【０００５】
【特許文献１】特開２００５−２８３３４４号公報
【発明の概要】
【発明が解決しようとする課題】
【０００６】
ＲＦＩＤは上述の通り、リーダアンテナとタグアンテナの向き、特にチルト角にそれほど留意しなくとも通信が可能であるため、情報を簡便に入手することができる。つまりリーダアンテナとタグアンテナの向きに関わらず通信が可能であることを意味する。
【０００７】
しかし、自動分析装置上で試薬容器にＩＣタグを付して試薬情報を管理する際、試薬容器の形状が左右対称な直方体状で試薬容器保持部に正規の向きの他、逆向きにも架設することができる場合、試薬容器の向きが誤った向きのまま架設され、試薬情報が読取られ、分析を行うケースが想定される。本ケースで試薬容器が第１試薬と第２試薬を有するペアリングカセットである場合、第１試薬と第２試薬が誤って認識され、使用され、分析が行われることとなり、正しい分析結果を得ることが困難となる。こうしたミスを未然に防ぐためには、試薬容器の逆置きを自動分析装置上で識別可能にする必要がある。
【０００８】
本発明の第一の目的は、試薬容器の逆置き防止手段を備えた自動分析装置を提供することにある。
【０００９】
また、試薬容器の架設向きの他、容器そのものが架設されているか、架設されていないかという点に着目する。試薬容器の架設有無を識別する方法として、従来は光学式センサを用いて識別していたが、構成が複雑になる、コストアップにつながるという別の課題が存在していた。
【００１０】
本発明の第二の目的は、光学式センサを用いることなく試薬容器の有無を識別する手段を備えた自動分析装置を提供することにある。
【課題を解決するための手段】
【００１１】
上述の目的を達成するための、本発明の構成は以下の通りである。
【００１２】
アンテナを有する非接触識別媒体と、前記非接触識別媒体と通信する通信機と、液体を収容する容器と、該容器を架設する容器保持機構と、を備えた自動分析装置であって、前記アンテナを前記容器に非対称の位置に設け、前記容器に設けられた前記非接触媒体と前記通信機が通信不能であった場合、該容器を前記容器保持機構を駆動して所定距離移動し、再度通信することにより、前記容器の前記容器保持機構上での設置向きを識別する識別機構を備えた自動分析装置。
【００１３】
特に好ましい実施態様は以下の通りである。
【００１４】
第一の目的を達成するための構成について説明する。試薬容器に付加するＩＣタグにおいて、タグアンテナをタグ内の４辺のうちいずれかの１辺に寄せたものを利用する。寄せたアンテナは、タグの中心を通り、寄せた辺と平行の線よりも寄せた辺側の領域（以下、正向き読取り領域という）にある。そしてリーダアンテナを、その読取り範囲が正向き読取り領域のみ読取れる位置に配置する。試薬保冷庫内にある試薬容器を回転移動させ、停止させ、読取りを行う。この時、正向きであれば試薬容器に付加されたＩＣタグを読取ることが可能である。逆向きであれば、リーダアンテナの読取り範囲からタグアンテナが外れ、読取ることが不可能となる。
【００１５】
試薬容器が逆向きに置かれている場合において、試薬容器を読取る際の停止位置では上述の構成によってリーダアンテナの読取り範囲から外れるため、ＩＣタグを読取ることができない。当該読取り時にＩＣタグを読取ることができなかった後、試薬容器に付加されたＩＣタグのタグアンテナが、リーダアンテナの読取り範囲内に入るよう、試薬容器を移動する。その後、再度読取りを実施し、ＩＣタグを読取る。この再度の読取りによってＩＣタグを読取ることができた場合、試薬容器が逆向きに架設されていると判断することができる。これによって試薬容器が逆向きに架設されている時には、ユーザへアラームを発するなどして注意を喚起することができる。
【００１６】
次に第二の目的を達成するための構成について説明する。上述の２度の読取りでいずれもＩＣタグを読取れなかった場合、試薬容器が無いのか、タグが破損している、あるいは他の要因によって読取れないのかが不明である。そこで、２度の読取りでいずれもＩＣタグを読取れなかった場合、試薬プローブを用いた液面検知または異常下降検知を利用することで、試薬容器の有無を識別する。
【発明の効果】
【００１７】
本発明の第一の効果として、試薬容器の逆置き防止手段を備えた自動分析装置を提供することが可能となる。
【００１８】
また本発明の第二の効果として、光学式センサを用いることなく試薬容器の有無を識別する手段を備えた自動分析装置を提供することが可能になる。
【図面の簡単な説明】
【００１９】
【図１】自動分析装置の概観図である。
【図２】試薬保冷庫内部と試薬容器，ＩＣタグ，ＲＦＩＤリーダ／ライタの構成図である。
【図３】試薬保冷庫内に架設された試薬容器とＩＣタグの構成図である。
【図４】読取り時における試薬容器，ＩＣタグ，リーダアンテナの構成を示した例１の図である。
【図５】試薬読取り時におけるタイムチャート例１である。
【図６】液面検知時における構成を示した図である。
【図７】読取り時における試薬容器，ＩＣタグ，リーダアンテナの構成を示した例２の図である。
【図８】試薬読取り時におけるタイムチャート例２である。
【図９】読取り時における試薬容器，ＩＣタグ，リーダアンテナの構成を示した例３の図である。
【図１０】試薬読取り時におけるタイムチャート例３である。
【図１１】読取り時における試薬容器，ＩＣタグ，リーダアンテナの構成を示した例４の図である。
【図１２】試薬読取り時におけるタイムチャート例４である。
【図１３】読取り時における試薬容器，ＩＣタグ，リーダアンテナの構成を示した例５の図である。
【図１４】試薬読取り時におけるタイムチャート例５である。
【発明を実施するための形態】
【００２０】
以下に図面を用いて、本発明の実施例を示す。
【実施例１】
【００２１】
図１に示したのは自動分析装置の概観図である。操作部１からの指示により、ＩＣタグが付加された試薬容器がＩＣタグ情報の読取りを行う位置へと移動する。そして試薬保冷庫の蓋に設置されたＲＦＩＤリーダ／ライタによって試薬容器ごとの個別情報を取得する。次に試料の入った試料容器２が架設された搬送ラック３が分析部に搬送される。分析部に搬送された試料は操作部１から指示された分析を行うため、試料容器２内の測定用液体を試料分注機構４を用いて吸引し、反応ディスク５に架設した反応容器６に注入する。また試薬保冷庫７内に架設した試薬容器８をあらかじめ取得した試薬容器８の情報に基づき、所定の試薬を吸引するため、蓋の開口部の位置に移動し試薬容器８内の試薬を試薬分注機構９により吸引し、反応ディスク５に乗った反応容器６に注入する。反応容器６に注入された試料と試薬は攪拌機構１０によって撹袢される。これによる化学反応の発色を光源ランプ，分光用回折格子，光検知器により構成される光度計１１で測光し分析を行う。分析後は次の試料を分析するため、反応容器６を洗浄機構１２により洗浄する。分析を行うための試料を吸引後、試料容器２を架設した搬送ラック３は分析部から搬出される。図１中では試薬保冷庫７の蓋の一部を断面表示し、保冷されている複数の試薬容器８の一部が見えるようにしてある。試薬保冷庫７は試薬を充填した円周上に配置された複数の試薬容器８を保冷し、試薬容器８から試薬を吸引するための少なくとも１つの蓋開口部１３を持つことを特徴とする。
【００２２】
次に図２を用いて試薬容器８とＩＣタグおよびＩＣタグの情報を読取るリーダ／ライタの構成に関して説明する。図２中に示したように、試薬保冷庫７内には試薬保持部１４と試薬容器８が配置され、試薬保持部１４は試薬保持部制御部１５によって回転駆動させることができる。試薬保持部制御部１５の動作は自動分析装置の中枢制御部１６から行い、また試薬保持部制御部１５は中枢制御部１６を介して記憶保持手段１７と接続されている。
【００２３】
試薬保冷庫７の上部には試薬保冷庫の蓋１８が設置されており、保冷庫内の温度を一定に保っている。試薬保冷庫の蓋１８内にＩＣタグと通信するためのＲＦＩＤリーダ／ライタ１９が配置されており、ＲＦＩＤリーダ／ライタ１９は中枢制御部１６と接続されている。ＲＦＩＤリーダ／ライタ１９は複数のリーダアンテナを有し、特に試薬保持手段１４の内周と外周に架設された試薬容器上面に付加されたＩＣタグ２０をリード／ライトするため、ＩＣタグ２０の上方に内周ＩＣタグ用リーダアンテナ２１と外周ＩＣタグ用リーダアンテナ２２とを併せ持つ。こうして試薬容器８に付加されたＩＣタグ２０を内周・外周において各々一対一で読取るような構成となるようにする。
【００２４】
次に図３を用いて試薬保冷庫７内における試薬容器８の架設位置に関して説明する。試薬保冷庫７内において、内周の試薬容器の架設位置は、外周の試薬容器の架設位置と周期的に一直線上に並ぶような構成である。並ぶ向きは、内周と外周の試薬容器細手方向の面が互いに対向する向きであり、かつ内周と外周の試薬容器の長手方向面が互いに同一直線上にある向きである。また内周と外周に架設される試薬容器８は同心円の円周上に並び、試薬容器細手方向の片側が同心円の中心を向く方向である。
【００２５】
またＩＣタグ２０に関して、図３中に示したようにタグ内４辺のうち、細手方向辺の片側にアンテナを寄せ、正向き読取り領域にのみタグアンテナ２３が位置するような構成をとる。またタグ内にはＩＣチップ２４があり、不揮発性メモリにタグデータを保有している。本実施例では電磁誘導方式を利用したパッシブ型ＲＦＩＤとして説明するが、電磁結合方式，電波方式等他の方式でも構わない。またアクティブ型ＲＦＩＤでも構わない。
【００２６】
次に図４を用いて試薬読取り位置における試薬容器８とＩＣタグ２０，内周ＩＣタグ用リーダアンテナ２１との位置関係について説明する。なお、本図においては内周ＩＣタグ用リーダアンテナ２１を用いて説明するが、外周でも内周同様、外周ＩＣタグ用リーダアンテナ２２を用いて読取りを行う。
【００２７】
試薬容器８の上方には内周ＩＣタグ用リーダアンテナ２１があり、リーダアンテナ内部にはＩＣタグ２０と電磁誘導を利用し通信が可能なようリーダループアンテナパターン２５がある。タグアンテナ２３とリーダループアンテナパターン２５は通信の指向性を高めるため、ループにより閉じられる領域を長方形状に狭めてある。図４中にはリーダアンテナの通信可能領域２６を示してある。通信距離については明示していないが、ＩＣタグ２０は当然にリーダアンテナの通信距離仕様を満足する領域内に存在する。また試薬容器８の上面には試薬容器開口部２７が二つあり、当該二つの開口部の間にＩＣタグ２０が付加されている。
【００２８】
リーダアンテナの通信可能領域２６内にタグアンテナ２３が位置する場合は、リーダアンテナとＩＣタグ２０との通信において、ＩＣタグ２０を動作させるために必要な放射磁界強度が得られ、通信が可能であるが、本領域外にタグアンテナ２３が位置する場合はＩＣタグ２０を動作させるために必要な放射磁界強度が得られず、ＩＣタグのリード／ライトを行うことができない。なお、タグデータはリーダアンテナからの搬送波をＩＣチップ２４の情報で変調し、その信号を反射させることによって得ることができる。
【００２９】
試薬容器が正向きに架設された時には、リーダアンテナの通信可能領域２６にタグアンテナ２３が位置し、ＩＣタグ２０の情報をリード／ライトすることができる。一方、試薬容器を逆向きに架設した場合、タグアンテナ２３が図４中に示したように移動し、リーダアンテナの通信可能領域２６から外れ、ＩＣタグ２０のタグデータをリード／ライトすることができない。
【００３０】
試薬容器が逆向きに架設されている場合、試薬容器読取り位置ではリードを行うことができないが、本１度目のリード動作の後、試薬容器を移動し、タグアンテナ２３がリーダアンテナの通信可能領域２６の領域内に位置するようにする。その後、本領域内に位置する場所で試薬容器を停止させ、再度リード動作を行う。試薬容器が逆向きに架設されている場合は、この２度目のリード動作でＩＣタグ２０のタグデータを取得することができる。２度目のリード動作でＩＣタグ２０のタグデータを取得することができた場合、試薬容器が逆向きに架設されていると判断するものとする。
【００３１】
試薬容器読取り位置において、ＩＣタグ２０のタグデータをリード／ライトするために通信コマンドを利用する。特にリードの一連の動作としては、試薬容器を読取り位置で停止→中枢制御部１６からＲＦＩＤリーダ／ライタ１９へリードコマンド発行→ＩＣタグ２０の情報をＲＦＩＤリーダ／ライタ１９が受信・認識→ＲＦＩＤリーダ／ライタ１９から中枢制御部１６へタグデータを送信し、タグデータを取得、という流れになる。
【００３２】
次に図５を用いてＲＦＩＤリーダ／ライタ１９と試薬保持部１４の動作について説明する。まず中枢制御部１６が試薬保持部制御部１５を経由して試薬保持部１４を回転させる。これにより、内周ポジション１に架設された試薬容器が、内周ポジション１試薬読取り回転動作２８ａによって試薬容器読取り位置へと回転移動する。その後動作を停止し、中枢制御部１６がＲＦＩＤリーダ／ライタ１９へ内周ポジション１試薬読取りコマンド発行２９ａを行う。当該コマンド発行により、試薬容器８が正向きに架設されている場合、ＩＣタグ２０のタグデータ３０ａを取得する。その後、ＣＷ方向へ試薬容器を再度移動する。この試薬容器逆向き読取り位置への回転動作３１ａを行った後、停止する。
【００３３】
次に内周ポジション２に架設された試薬容器を同様な動作で読取る。こうして内周に架設されている試薬容器の数分だけ、試薬読取りを行う。ここで、内周ポジション２に架設された試薬容器が逆向きである場合、内周ポジション２試薬読取りコマンド発行２９ｂを行った後、タグデータを取得することができない。タグデータが当該１度目の読取り時に取得できなかった場合、試薬容器逆向き読取り位置への回転動作３１ｂを行った後、２度目の試薬読取りコマンド発行３２ａを行う。ここでタグデータ３０ｂを取得することができる。本２度目の読取りでもタグデータが取得できなかった場合、試薬容器が架設位置に存在しない、またはＩＣタグ２０が破損している場合が想定されるが、詳細は後述する。
【００３４】
内周に架設された試薬を全て読取った後、外周に架設された試薬を同様なタイムチャートで読取る。外周では試薬容器の架設数が多いため、試薬保持部の動作時間は内周と比較し短くなる。なお回転方向はＣＷとしてあるが、ＣＣＷであっても、またＣＷとＣＣＷを組み合わせていても構わない。
【００３５】
上述した方法で、逆向き読取り位置でタグデータを取得した場合、ユーザへ操作部１を通してアラームを発し、注意を喚起する。
【００３６】
次に図６を用いて試薬容器の有無を識別する方法について説明する。内周・外周の試薬読取りを全て完了した後、試薬容器の有無に関わらず試薬保持部１４内の全ての試薬容器架設位置へ試薬分注機構９を駆動し、当該分注機構が有する試薬プローブ３３で試薬容器の液面検知を実施する。液面検知は、プローブ先端とアースとの静電容量を断続的に測定しており、ある一定の静電容量を超えたときに監視基板が信号を発することにより液面を検出する技術のことである。試薬プローブ３３が液体試薬３４に突入することにより、静電容量が変化し、当該変化を捉えることによって液面を検出する。液面検出後、プローブは直ちに下降動作を停止する。本技術は液面を検出後、プローブ上限点までのパルスモータへの発行パルス数によるプローブ上昇量より液面の高さを算出し、併せて試薬容器容量を加味することで試薬残量を測定する等の目的で実施されるものであるが、既に自動分析装置で採用され、公知技術となっているためここでは動作の詳細に関しては省略する。また試薬プローブ３３は異常下降検知機能を備えており、プローブ先端が固体等にあたり、物理的な下降が阻害されるのを試薬分注機構９内部にある検知板と検知器を用いて検出する。すなわち、検知器をリミッタとして用い、検知器の信号を監視し、検知板による検知器遮蔽により信号が発せされた場合はプローブ下降動作を停止する。この液面検知を全ての試薬容器架設位置で実施し、先の試薬容器のタグデータ読取り結果と組み合わせて使用することによって、試薬容器有無を識別する。
【００３７】
以上より、正向き・逆向きのタグデータは単純に試薬容器有りと識別できる。また向きによって試薬容器容量を内周外周逆向きにして、試薬残量登録を正確に実現する。
【００３８】
タグデータが２度の読取りで取得できなかった場合、液面検知を行うことによって液面を検出した時は試薬容器があり、かつ試薬があると識別する。つまりＩＣタグ２０が破損している、または不正なＩＣタグ（例えば、通信未対応のＩＣチップを使用しているタグ）を使用している、またはＩＣタグそのものが試薬容器に付加されていないと判断する。また液面を検出しなかった時は、試薬容器が無いと判断する。
【００３９】
また、液面検知に加えて異常下降検知を利用しても良い。上述の液面を検出しなかった時は、試薬容器がないケースの他、試薬容器が空の場合も想定される。よって液面検知動作の後、試薬容器停止位置を変化させ、試薬プローブ３３を試薬容器開口部２７へ突入するのではなく、開口部以外の容器上面に接触させ、異常下降検知をもって試薬容器の有無を判断しても良い。
【００４０】
また、液面検知は使用せず、最初から異常下降検知のみを使用して試薬容器の有無を判断しても良い。
【実施例２】
【００４１】
次に図７を用いてリーダアンテナおよびＩＣタグレイアウトを変更した長手方向読取りＩＣタグ３５を使用した実施例を説明する。実施例１のＩＣタグ２０とは別の長手方向読取りＩＣタグ３５を準備する。本ＩＣタグはタグ内４辺のうち、長手方向辺の片側にアンテナを寄せ、正向き読取り領域にのみ長手方向タグアンテナ３６が位置するような構成をとる。またタグ内には長手方向用ＩＣチップ３７があり、タグデータを保有している。
【００４２】
内周ＩＣタグ用リーダアンテナ２１の位置は、当該アンテナの長手方向が、長手方向読取りＩＣタグ３５の長手方向と平行となる位置でも垂直となる位置でも構わないが、本ケースの場合は互いの長手方向が平行になる位置に内周ＩＣタグ用リーダアンテナ２１を配置するものとする。
【００４３】
実施例１同様、試薬容器が正向きの場合は通信可能領域に長手方向タグアンテナ３６が存在するため、タグデータが取得でき、試薬容器が逆向きの場合は通信可能領域から長手方向タグアンテナ３６が外れるため、タグデータは取得できない。ここでは試薬容器の回転方向と、長手方向タグアンテナ３６が正向きと逆向きで移動する方向が異なるため、試薬容器逆向き読取り位置への回転動作は行わない。
【００４４】
次に図８を用いてＲＦＩＤリーダ／ライタ１９と試薬保持部１４の動作について説明する。図５で説明したタイムチャートの中で、試薬容器逆向き読取り位置への回転動作と、２度目の試薬読取りコマンド発行動作がなくなったものが、本ケースのタイムチャートに該当する。
【実施例３】
【００４５】
次に図９を用いてリーダアンテナおよびＩＣタグレイアウトを変更したダブルチップＩＣタグ３９を使用した実施例を説明する。タグ内に２つのＩＣチップと２つのタグアンテナを有し、図４で説明した正向き読取り領域に正規のタグデータを有するＩＣチップとタグアンテナを配置する。図４で逆方向に架設した場合のタグアンテナの位置に、ダミーデータを有するＩＣチップとタグアンテナを配置する。ダミーデータを読取った場合、試薬容器が逆向きに架設されていると判断する。当該構成で読取りを行った場合のタイムチャートを図１０に示す。実施例２の図８と比較し、試薬読取りコマンド発行を行った後、試薬容器がある場合は正規のタグデータまたはダミーデータのいずれかの情報を取得する。
【００４６】
本ケースの場合、増設したリーダアンテナ３８を用いて読取りを同時に行っても良いし、またダブルチップＩＣタグ３９を二分割してタグを２種類準備しても良い。
【００４７】
増設したリーダアンテナ３８は、内周ＩＣタグ用リーダアンテナ２１と異なる情報を取得するようにする。
【実施例４】
【００４８】
次に図１１を用いてリーダアンテナを移動させて読取りを実施する場合の実施例について説明する。実施例１の図４、そして実施例２の図７において、正向き読取りを実施した後、内周ＩＣタグ用リーダアンテナ２１を、試薬容器が逆向きに置かれている場合にタグデータが読取れる位置まで移動する。移動後、再度読取りを実施する。この際、図４中の試薬容器逆向き読取り位置への試薬保持部回転動作は行わない。すなわち、試薬容器は試薬容器読取り位置で停止するのみである。再度の読取りを行った後、内周ＩＣタグ用リーダアンテナ２１は元の正向き読取り位置へと移動する。また長手方向読取りＩＣタグ３５を用いて同様の読取りを実施しても良い。
【００４９】
次に図１２を用いてリーダアンテナを移動させて読取りを実施する場合のタイムチャートについて説明する。実施例２の図７に示した場合で、試薬容器が逆向きに置かれタグデータが取得できなかった場合、リーダアンテナ保持部動作４０ａを行い、リーダアンテナを移動する。その後、再度試薬読取りコマンドを発行し、タグデータを取得する。その後、リーダアンテナ保持部動作４０ｂを行い、リーダアンテナは元の位置へと戻る。リーダアンテナ保持部にはパルスモータ等のアクチュエータを用いればよい。
【実施例５】
【００５０】
次に図１３を用いて実施例３のダブルチップＩＣタグ３９と実施例４のリーダアンテナ移動を使用した実施例について説明する。実施例４の図１２において、リーダアンテナ保持部動作を、正向き・逆向きに関わらず、１ポジションごとに実施していく。リーダアンテナがＣＷ方向に移動する前後でそれぞれ試薬読取りコマンド発行を１回ずつ行う。ダミーデータを取得する時が、リーダアンテナがＣＷ方向に移動する前の試薬読取りコマンド発行である時は逆向きに置かれているのもと判断する。
【００５１】
以上に述べたことを実施することで、試薬容器の逆置き防止手段を備えた自動分析装置を提供することが可能となる。また光学式センサを用いることなく試薬容器の有無を識別する手段を備えた自動分析装置を提供することが可能になる。
【００５２】
なお、いうまでもなく本発明は上述の実施例に限定されるものではなく、その要旨を逸脱しない範囲で種々変形が可能である。
【符号の説明】
【００５３】
１  操作部
２  試料容器
３  搬送ラック
４  試料分注機構
５  反応ディスク
６  反応容器
７  試薬保冷庫
８  試薬容器
９  試薬分注機構
１０  攪拌機構
１１  光度計
１２  洗浄機構
１３  蓋開口部
１４  試薬保持部
１５  試薬保持部制御部
１６  中枢制御部
１７  記憶保持手段
１８  試薬保冷庫の蓋
１９  ＲＦＩＤリーダ／ライタ
２０  ＩＣタグ
２１  内周ＩＣタグ用リーダアンテナ
２２  外周ＩＣタグ用リーダアンテナ
２３  タグアンテナ
２４  ＩＣチップ
２５  リーダループアンテナパターン
２６  リーダアンテナの通信可能領域
２７  試薬容器開口部
２８，２８ａ，２８ｂ，２８ｃ，２８ｄ  内／外周ポジション試薬読取り回転動作
２９，２９ａ，２９ｂ，２９ｃ，２９ｄ  内／外周ポジション試薬読取りコマンド発行
３０，３０ａ，３０ｂ，３０ｃ，３０ｄ  タグデータ
３１，３１ａ，３１ｂ，３１ｃ，３１ｄ  試薬容器逆向き読取り位置への回転動作
３２，３２ａ，３２ｂ  ２度目の試薬読取りコマンド発行
３３  試薬プローブ
３４  液体試薬
３５  長手方向読取りＩＣタグ
３６  長手方向タグアンテナ
３７  長手方向用ＩＣチップ
３８  増設したリーダアンテナ
３９  ダブルチップＩＣタグ
４０，４０ａ，４０ｂ，４０ｃ，４０ｄ  リーダアンテナ保持部動作
【図１】
2011027658.tif 000003
【図２】
2011027658.tif 000004
【図３】
2011027658.tif 000005
【図４】
2011027658.tif 000006
【図５】
2011027658.tif 000007
【図６】
2011027658.tif 000008
【図７】
2011027658.tif 000009
【図８】
2011027658.tif 000010
【図９】
2011027658.tif 000011
【図１０】
2011027658.tif 000012
【図１１】
2011027658.tif 000013
【図１２】
2011027658.tif 000014
【図１３】
2011027658.tif 000015
【図１４】
2011027658.tif 000016